(57)【要約】【課題】火災等の発生時に有効なセキュリティ対策を施す。【解決手段】ＭＦＰ１は、火災発生情報検知部３２にて火災警報（非常ベル、サイレン等）を検知すると、異常時判断処理部３４から印刷処理部２２に対して画像の形成や印刷の停止を指示する。また、転送処理部３６に対して保存済みのデータの転送を指示し、安全な場所にデータを退避させる。これにより、鎮火後の現場に文書やデータが取り残されることを防止する。合わせて、操作パネル２０に火災警報を表示し、ユーザの対処行動を促す。【選択図】図３
2009171200.tif 000002
【特許請求の範囲】
【請求項１】
画像データに基づいて画像を形成する画像形成手段と、
前記画像形成手段により形成された画像を媒体に印刷する印刷手段と、
異常発生時の警報が発せされたことを検知する警報検知手段と、
前記警報検知手段により異常発生時の警報が検知されると、少なくとも前記画像形成手段による画像の形成又は前記印刷手段による画像の印刷の動作を停止させる停止処理手段と
を備えたことを特徴とする画像形成装置。
【請求項２】
請求項１に記載の画像形成装置において、
所定の通信回線を通じて外部機器から送信された前記画像データを受信する受信手段をさらに備え、
前記停止処理手段は、
前記警報検知手段により異常発生時の警報が検知されると、前記受信手段による前記画像データの受信の動作を停止させることを特徴とする画像形成装置。
【請求項３】
請求項１又は２に記載の画像形成装置において、
少なくとも前記画像データを含む情報を記憶する記憶手段と、
前記警報検知手段により異常発生時の警報が検知されると、前記記憶手段に記憶された情報を他の記憶装置に転送する転送手段とをさらに備えたことを特徴とする画像形成装置。
【請求項４】
請求項３に記載の画像形成装置において、
前記転送手段により前記記憶手段に記憶された情報が他の記憶装置に転送された場合、前記記憶手段に記憶された情報を消去する記憶消去手段をさらに備えたことを特徴とする画像形成装置。
【請求項５】
請求項３又は４に記載の画像形成装置において、
前記転送手段により前記記憶手段に記憶された情報が他の記憶装置に転送された旨の報告を発行する報告発行手段をさらに備えたことを特徴とする画像形成装置。
【請求項６】
請求項１から５のいずれかに記載の画像形成装置において、
通常時に使用者の操作に関する操作情報を表示する表示部と、
前記警報検知手段により異常発生時の警報が検知された場合、前記操作情報に代えて異常の発生に関する情報を前記表示部に表示させる情報表示手段とをさらに備えたことを特徴とする画像形成装置。
【発明の詳細な説明】
【技術分野】
【０００１】
本発明は、例えばプリンタや複写機、ファクシミリ送受信機、これらの機能を備えた複合機、多機能周辺機器等の画像形成装置に関する。
【背景技術】
【０００２】
この種の画像形成装置は、例えばＬＡＮ（Ｌｏｃａｌ  Ａｒｅａ  Ｎｅｔｗｏｒｋ）等を通じて印刷用の文書データを受信したり、電話回線を通じてファクシミリの送信データを受信したりすると、そのデータに基づいて印刷を実行する。特に官公庁や企業の事業において画像形成装置が利用される場合、印刷用の文書データやファクシミリの送信データに各種の秘密情報（例えば個人情報、営業秘密等）が含まれていることが多い。そのため近年、画像形成装置で印刷した後の文書はもとより、印刷前の電子データについてもその秘密を保持するべきセキュリティ対象となっている。平常時の対策としては、例えば画像形成装置の設置場所に部外者の立ち入りを禁止したり、部外者による画像形成装置の操作を不能にしたりすることが行われているが、ユーザの緊急避難を伴う非常時（例えば地震、火災等の発生時）においては平常時の対策だけでは不十分であり、別の対策が必要となる。
【０００３】
このため従来、実際に画像形成装置が設置されているオフィスビル等で異常事態が発生（例えば、地震動による揺れを検知）すると、装置内部に保持している内部情報をリムーバブルメディア等の取り外し可能な外部記憶装置に退避させる先行技術が知られている（例えば、特許文献１参照。）。この先行技術によれば、異常事態の終息後に部外者が画像形成装置の内部情報にアクセスしようとしても、既に内部情報は外部記憶装置に退避されているため、内部情報の漏洩が防止できると考えられる。一方、正規のユーザはパスワード等の認証によって外部記憶装置から内部情報を復元することができるため、異常事態の終息後に改めて内部情報にアクセスしたり、そこから文書を印刷したりすることができると考えられる。
【特許文献１】特開２００７−２７６８２号公報
【発明の開示】
【発明が解決しようとする課題】
【０００４】
しかしながら上記の先行技術はあくまで、内部情報を外部記憶装置に退避させておくだけであるから、それまでに文書が印刷されてしまう点については無防備である。このため、現場に内部情報を印刷した文書が取り残されると、侵入者によって文書が持ち出され、内部情報が漏洩してしまうという問題がある。
【０００５】
また上記の先行技術は、異常発生時のセキュリティ対策として内部情報を外部記憶装置に退避させるものであるが、このような手法は地震時の対策だけを想定したものであり、異常事態として火災が発生した場合のセキュリティ対策として充分でない。すなわち、外部記憶装置は画像形成装置に取り外し可能に設置されているため、火災によって画像形成装置とともに外部記憶装置そのものが焼損すると、火災鎮火後にデータを復旧することができないという問題がある。
【０００６】
そこで本発明は、異常発生時のセキュリティ対策を確実に実行することができる技術の提供を課題としたものである。
【課題を解決するための手段】
【０００７】
本発明の画像形成装置は、画像データに基づいて画像を形成する画像形成手段と、画像形成手段により形成された画像を媒体に印刷する印刷手段と、異常発生時の警報が発せされたことを検知する警報検知手段と、警報検知手段により異常発生時の警報が検知されると、少なくとも画像形成手段による画像の形成又は印刷手段による画像の印刷の動作を停止させる停止処理手段とを備えたものである。
【０００８】
ここでいう「異常発生時の警報」は、一般的な非常ベル、サイレン等の警報（火災警報、防犯警報）音でもよいし、通信手段によって通知される警報、さらには人の肉声による警報であってもよい。いずれにしても、本発明の画像形成装置は異常発生時の警報を検知すると、画像の形成又は印刷の動作を停止させることでセキュリティ対策を敢行する。これにより、ユーザが画像形成装置に対して文書の印刷を要求した後であっても、その要求に基づく印刷は行われず、火災等の発生現場に秘密事項が記録された文書が取り残されてしまうことはない。このため、火災時に消火活動が早期に行われて画像形成装置そのものに火の手が回らなかったとしても、その場に文書が残存することがないし、侵入者によって文書が持ち出されたりすることがないので、情報の漏洩が確実に防止される。
【０００９】
また本発明の画像形成装置は、所定の通信回線を通じて外部機器から送信された画像データを受信する受信手段を備える。この場合、上記の停止処理手段は、上記の警報検知手段により異常発生時の警報が検知されると、受信手段による画像データの受信の動作を停止させる。
【００１０】
例えば、ネットワークや電話回線を通じて受信した画像データに基づいて画像の形成及び印刷が行われる場合、本発明では異常発生時の警報を検知すると、それ以上の画像データの受信を停止する。これにより、不用意に秘密情報を含む画像データが画像形成装置に対して送信されるのを防止することができる。
【００１１】
また本発明の画像形成装置は、少なくとも画像データを含む情報を記憶する記憶手段と、警報検知手段により異常発生時の警報が検知されると、記憶手段に記憶された情報を他の記憶装置に転送する転送手段とをさらに備える。
【００１２】
この場合、ネットワーク経由や電話回線経由で受信した画像データは記憶手段に記憶されるが、異常発生時の警報を検知すると、その画像データを他の記憶装置に転送することで、情報を安全に退避させることができる。また、このとき「他の記憶装置」を例えば遠隔地（火災による被害が及びにくい地域）に配置しておき、この記憶装置に対してネットワーク経由で画像データを転送すれば、鎮火後にそこから画像データを復元することができるので、火災によるデータの焼失や侵入者による持ち去り等を確実に防止することができる。
【００１３】
また本発明の画像形成装置は、上記のように転送手段により記憶手段に記憶された情報が他の記憶装置に転送された場合、記憶手段に記憶された情報を消去する記憶消去手段をさらに備えることが好ましい。これにより、秘密情報の漏洩を確実に防止することができる。
【００１４】
本発明の画像形成装置は、転送手段により記憶手段に記憶された情報が他の記憶装置に転送された旨の報告を発行する報告発行手段をさらに備えることもできる。このとき発行された報告は、例えば画像データの送信元に提供してもよいし、画像形成装置の管理者に提供してもよい。これにより、送信元のユーザや管理者等がデータの転送先（行方）を確実に知ることができる。
【００１５】
また本発明の画像形成装置は、通常時に使用者の操作に関する操作情報を表示する表示部と、警報検知手段により異常発生時の警報が検知された場合、操作情報に代えて異常の発生に関する情報を表示部に表示させる情報表示手段とをさらに備えてもよい。
【００１６】
この場合、表示部を通じてユーザに警報を周知させ、その後の対処を促すことができる。また、例えばユーザが文書を複写しようとしていた場合はその作業を中止させ、ユーザとともに文書を安全な場所へ退避させることができる。
【発明の効果】
【００１７】
本発明の画像形成装置によれば、異常発生時のセキュリティ対策として情報の漏洩を確実に防止することができる。また、火災発生時のデータの焼失や侵入者による盗難を防止することで、情報の安全性を格段に向上することができる。
【発明を実施するための最良の形態】
【００１８】
以下、本発明の実施形態について図面を参照しながら説明する。
【００１９】
〔基本構成〕
図１は、画像形成装置の一例である多機能周辺機器１（以下、「ＭＦＰ」と呼称する。）を左前上方から示す斜視図である。図１には操作者に相対するＭＦＰ１の正面と、このＭＦＰ１の左側面とが見えている。ＭＦＰ１の装置本体２は例えば胴内排紙型であり、その内側には排紙トレイ１５が形成されている。
【００２０】
装置本体２の上側には原稿送り装置（ＡＤＦ）８が搭載されている。ＭＦＰ１を複写機やファクシミリ、ネットワークスキャナとして利用するときには、この原稿送り装置８から原稿を搬送し、その画像面は光学式のスキャナ部（画像読取部）９にて光学的に読み取られる。
【００２１】
スキャナ部９の手前側には操作パネル２０が設置されている。この操作パネル２０には、ユーザの各種操作に供される複数の操作キーやスイッチが配置されている他、各種の情報を表示する表示画面２１が設けられている。表示画面２１はタッチパネル式の入力デバイスを兼用しており、その表示画面２１には操作用のメニューボタン等の画像が表示されるものとなっている。
【００２２】
〔警報検知手段〕
また本実施形態では、操作パネル２０に音センサ２３が内蔵されている。音センサ２３は例えばマイク（マイクロフォン）であり、操作パネル２０の外装カバーにはスリットが形成されている。なお、音センサ２３の配置はあくまで一例であり、周囲の音を効率よく検知することができる位置であれば、その他の配置（例えば、ＭＦＰ１の側面等）であってもよい。また、音センサ２３を用いたセキュリティ対策についてはさらに後述する。
【００２３】
装置本体２の下部にはフロントローディング式の用紙供給装置３が配置されている。詳しくは、この供給装置３には、装置本体２の高さ方向に沿って上下２段の給紙カセット４が備えられている。各カセット４はいずれも装置本体２に対して着脱可能に構成されており、ＭＦＰ１の正面側に向けて引き出されることによりカセット４の内部が外部に対して開かれる一方、ＭＦＰ１の背面側に向けて押し込まれることによりその内部が閉じられる。
【００２４】
図２は、ＭＦＰ１の内部構造を概略的に示す図である。なお、図中に実線で示された矢印は用紙の搬送経路及びその搬送方向を表している。各カセット４には用紙Ｐが積層状態で収容されており、用紙Ｐはカセット４から１枚ずつ分離されて図中の左方向に向けて送出される。
【００２５】
供給装置３の左方には用紙搬送部６が配置されている。カセット４から送出された用紙Ｐは用紙搬送部６において、装置本体２の左側面に沿って上方に向けて縦搬送される。また、装置本体２の右側面には開閉式の手差しトレイ５が備えられており、この手差しトレイ５から供給された用紙も図中でみて装置本体２の右側から左方向に向けて搬送され、その後、上方に向けて縦搬送される。
【００２６】
〔画像形成部（画像形成手段）、転写部（印刷手段）〕
装置本体２の内部には、用紙搬送方向で見て下流側にレジストローラ７、画像形成部１０及び転写部１１が順番に配置されている。画像形成部１０の右方には光学部１４が備えられており、この光学部１４からは画像形成部１０の感光体ドラムに向けてレーザ光が照射される。
【００２７】
また用紙搬送方向でみて転写部１１の下流側には、ローラ対１９を有する定着部１２、及び排出分岐部１３が順番に配置されている。片面印刷を行う場合、定着部１２から排出された用紙は排出分岐部１３を経て排紙トレイ１５に排出される。排出分岐部１３と用紙搬送部６との間には両面印刷用ユニット１６が配置されており、この両面印刷用ユニット１６は定着部１２から排出された用紙を用紙搬送部６に戻し、画像形成部１０に向けて再び送出する。
【００２８】
〔セキュリティ対策機能〕
以上がＭＦＰ１の基本的な構成（ハード上の構成）及び機能である。加えて本実施形態では、ＭＦＰ１に火災等の異常発生時のセキュリティ対策を実行するための制御機能が備わっている。以下、ＭＦＰ１のセキュリティ機能について説明する。
【００２９】
図３は、ＭＦＰ１の制御上の構成に関するブロック図である。ここでは便宜上、各種の構成要素をブロック単位に分けて示しているが、操作パネル２０を除くほとんどの構成要素は既存のハードウェアリソース（例えばＣＰＵ、通信アダプタ等）を利用して実現することができるものである。以下、それぞれについて説明する。
【００３０】
先ずＭＦＰ１の基本機能（原稿の読み取りやファックスの送受信、画像の形成、印刷）の制御に関する構成として、上記の操作パネル２０が挙げられている他、印刷処理部２２、保存部２４、ファックス通信部２８、ネットワーク通信部３０等が挙げられている。このうち操作パネル２０は、上記のようにユーザが行う操作入力を受け付けるものである。また印刷処理部２２は、上記の画像形成部１０で行われる画像形成の動作（潜像の形成や現像）や、転写部１１での印刷の動作を制御する機能を有するものである。
【００３１】
〔記憶手段〕
保存部２４には、記憶媒体として例えば不揮発メモリ２６が接続されている。保存部２４は、不揮発メモリ２６に対するデータの書き込み、読み出し及び消去の動作を管理する機能を有する。不揮発メモリ２６にはデータベースを構築することが可能であり、その記憶領域には、例えばＭＦＰ１に登録されているアドレス帳（連絡先名、ファックス番号、メールアドレスの一覧等）や各種の設定（個人用の用紙サイズや濃度、印刷倍率、給紙段の指定等）が記憶されている。またＭＦＰ１をネットワークプリンタとして利用する場合、例えばユーザが使用するパーソナルコンピュータ（図示していない）から送信されてきた印刷用の画像データは不揮発メモリ２６に蓄積される。この他にも、ＭＦＰ１をファクシミリ送受信機として利用する場合、送信用の原稿を読み取った画像データや、送信元から受信した画像データが不揮発メモリ２６に蓄積されるものとなっている。なお、ここでは不揮発メモリ２６を例に挙げているが、記憶媒体としてハードディスク（磁気記録媒体）を用いてもよい。
【００３２】
〔受信手段〕
ファックス通信部２８は、例えばファックスモデム等のリソースを利用して電話回線に接続することができる。またネットワーク通信部３０は、例えば汎用のネットワークアダプタ等のリソースを利用して既存のネットワーク（ＬＡＮ）に接続することができる。これにより、上記のようにＭＦＰ１をファックス送受信機やネットワークプリンタとして利用したり、あるいはネットワークスキャナ、インターネットファックス等として利用したりすることができる。
【００３３】
〔警報検知手段〕
さらにセキュリティ対策用の要素として、ＭＦＰ１は火災発生情報検知部３２、異常時判断処理部３４及び転送処理部３６を備えている。このうち火災発生情報検知部３２には上記の音センサ２３が接続されており、火災警報や防犯警報によるサイレン音、ブザー音等が発生すると、音センサ２３からの検出信号が火災発生情報検知部３２に入力されるものとなっている。また火災警報や防犯警報は、例えばネットワーク信号として発生させることもでき、この場合、火災発生情報検知部３２はネットワーク通信部３０を通じて警報を検知（受信）する機能を有する。これ以外にも、火災発生情報検知部３２は例えば電話回線を通じて警報を検知したり、専用の無線受信機を用いて検知したりする形態であってもよい。なお、以下の説明では火災警報を中心として説明する。
【００３４】
〔停止処理手段〕
火災発生情報検知部３２で火災警報（以下、単に「警報」と呼称する。）が検知されると、これを受けて異常時判断処理部３４はセキュリティ対策に関する動作を具体的に指示する。例えば、異常時判断処理部３４は印刷処理部２２に対して画像形成及び印刷の動作を停止する指示を発行する。さらに異常時判断処理部３４は、転送処理部３６及び保存部２４に対してデータの転送及び消去の指示を発行したり、ファックス通信部２８に対して通信を停止する指示を発行したりする。またセキュリティ対策として、例えば操作パネル２０に警報を検知した旨が表示されたり、操作パネル２０に表示されている操作用のメニューが無効化されたりする。なお、これらの処理については別のフローチャートを参照してさらに後述する。
【００３５】
〔転送手段〕
転送処理部３６は異常時判断処理部３４からの指示に基づき、不揮発メモリ２６に記憶されている電子データをネットワーク通信部３０を通じて転送する。データの転送先は、例えばネットワークに接続されたファイルサーバ等の記憶装置であり、転送先の記憶装置は予め遠隔地（例えば、充分に距離の離れた場所）に設置されていることが望ましい。
【００３６】
〔警報の検知〕
図４は、火災発生情報検知部３２が実行する情報検知処理の手順例を示すフローチャートである。ＭＦＰ１の作動中、火災発生情報検知部３２は例えばタイマ割込処理として図４の情報検知処理を実行している。以下、手順例に沿って説明する。
【００３７】
ステップＳ１００：火災発生情報検知部３２は、上記のように音センサ２３又はネットワーク通信部３０を通じて警報を検知したか否かの確認を行う。特に警報を検知していなければ（Ｎｏ）、火災発生情報検知部３２はひとまず情報検知処理を終了し、割り込み発生前の状態（例えばメインプログラム）に復帰する。これに対し、警報を検知したことを確認すると（Ｙｅｓ）、火災発生情報検知部３２は次にステップＳ１０２を実行する。
【００３８】
〔異常の発生に関する情報の表示（情報表示手段）〕
ステップＳ１０２：火災発生情報検知部３２は、操作パネル２０に対して情報表示依頼を発行する。具体的には、操作パネル２０の表示ドライバ（図示していない）に対し、異常発生時に対応した情報の表示を依頼する。これを受けて表示ドライバは、それまで表示されていた操作パネル２０のメニューボタン等を無効化するとともに、メニューボタンの画像に代えて例えば「火災警報を検知しました」等のメッセージを表示させる。
【００３９】
ステップＳ１０４：次に火災発生情報検知部３２は、異常時判断処理部３４に対して火災の発生（火災警報を検知した旨）を通知する。以上の手順を終えると、異常時判断処理部３４は割り込み発生前の状態に復帰する。この場合、火災発生情報検知部３２はそれ以降の割り込みを禁止し、重ねて情報検知処理を実行することなく待機状態となる。
【００４０】
〔セキュリティ対策の発動〕
次に図５は、異常時判断処理部３４が実行する異常時対策処理の手順例を示すフローチャートである。この異常時対策処理もまた、ＭＦＰ１の作動中に例えばタイマ割込処理として定期的に実行されている。
【００４１】
ステップＳ２００：異常時判断処理部３４は、火災発生情報検知部３２から火災発生通知があったか否かを確認する。特に火災発生通知がされていなければ（Ｎｏ）、異常時判断処理部３４は割り込み発生前の状態に復帰する。これに対し、火災発生通知がなされた場合（Ｙｅｓ）、異常時判断処理部３４は次のステップＳ２０２以降に進む。
【００４２】
〔画像形成及び印刷の停止〕
ステップＳ２０２：先ず異常時判断処理部３４は、印刷停止処理を実行する。この定義済み処理では、異常時判断処理部３４は印刷処理部２２に対して画像形成及び印刷の停止を指示する。これにより、例えば画像形成部１０において感光体ドラムの露光や潜像をトナーで現像する動作は行われなくなる。また、用紙Ｐが例えばレジストローラ７で待機していた場合、その用紙は転写部１１に供給されずに停止したままとなり、給紙カセット４からの新たな給紙は行われなくなる。
【００４３】
〔データ受信の停止〕
ステップＳ２０４：次に異常時判断処理部３４は、通信停止処理を実行する。この定義済み処理では、異常時判断処理部３４はファックス通信部２８及びネットワーク通信部３０に対してそれぞれ通信の停止を指示する。これにより、ファックス通信部２８にて例えばファックスを受信していたとしても、その通信は遮断される。また、このとき途中まで受信していた受信データがあれば、合わせてそのデータの消去が行われる。同様に、ネットワーク通信部３０にて印刷用の画像データを受信中であったとしても、その受信は中断され、途中までバッファリングされたデータの消去が行われる。この場合、ファックスの送信エラーが発生するため、送信元では通信が正常に完了しなかったことが明らかとなる。また、ユーザのパーソナルコンピュータ（以下、「パソコン」と略称）では印刷エラーが発生するため、ここでも同様に印刷が正常に完了しなかったことが明らかとなる。
【００４４】
〔データの転送（転送手段）及び消去（記憶消去手段）〕
ステップＳ２０６：さらに異常時判断処理部３４は、データ転送処理を実行する。この定義済み処理では、異常時判断処理部３４は転送処理部３６に対してデータの転送（退避）を指示する。これを受けて、転送処理部３６は不揮発メモリ２６に記憶（蓄積分も含む）されている各種のデータ（受信済みの画像データ、データベースに登録されているデータ等）の転送を開始する。データの転送作業は、実際に火炎や熱による障害が電子機器に発生するまでの時間内に完了させる。
【００４５】
ここでの転送手法は、例えば電子メールに添付する形態であってもよいし、ネットワーク通信による形態であってもよい。またデータの転送先は、既に述べたようにネットワークに接続されている他の記憶装置であってもよいし、他の画像形成装置（ＭＦＰ１以外のＭＦＰ）であってもよい。また、合わせてこの処理では、異常時判断処理部３４は保存部２４に対し、転送済みのデータの消去を指示する。これにより、鎮火後のＭＦＰ１には重要なデータが何も残存しない状態となる。
【００４６】
〔転送レポートの発行（報告発行手段）〕
ステップＳ２０８：続いて異常時判断処理部３４は、レポート発行処理を実行する。この定義済み処理では、異常時判断処理部３４は転送処理部３６によるデータ転送時のログ、チェックサムの値等を収集し、転送されたデータに関するレポートを作成する。例えば、ユーザのパソコンから送信された画像データが印刷されずに転送された場合、その送信者であるユーザのパソコンに対して転送結果のレポートを通知する。レポートは、例えばテキストファイル形式やＣＳＶ形式によるものであってもよいし、音声ファイル形式によるものであってもよい。また異常時判断処理部３４は、ＭＦＰ１の管理者が保有する端末等に転送結果のレポート（転送されたデータ一覧）を通知する。
【００４７】
以上の手順を実行すると、異常時判断処理部３４は割り込み発生前の状態に復帰する。なお、復帰後に異常時判断処理部３４はそれ以降の割り込みを禁止し、重ねて異常時対策処理を実行することなく待機状態となる。待機状態は、例えば鎮火後にＭＦＰ１の復旧が行われるまで継続する。ＭＦＰ１に重大な損傷がない場合、復旧時に待機状態を解除（リセットスタート）すれば、ＭＦＰ１を正常に起動させることができる。
【００４８】
いずれにしても、火災発生時に以上のセキュリティ対策を実行することにより、本実施形態のＭＦＰ１には以下の有用性が認められる。
【００４９】
（１）火災警報を検知した場合、ＭＦＰ１は直ちに画像形成及び印刷の動作を停止するため、ユーザや管理者等が現場から非難した場合であっても、秘密事項が記載された文書が火災発生現場に取り残されたままとなることはない。これにより、たとえ早期に鎮火してＭＦＰ１にまで火の手が回らなかったとしても、ＭＦＰ１からの情報漏洩を確実に防止することができる。
【００５０】
（２）また、たとえ通信中であってもデータ受信を中止するため、ＭＦＰ１に秘密事項を含むデータが蓄積されることはない。このため、鎮火後にＭＦＰ１が盗難にあったとしても、そこから送信者の情報が漏洩するのを防止することができる。
【００５１】
（３）一方、既に受信済みのデータや登録済みのデータは他所へ転送されるとともに消去されるため、上記（２）と同様に盗難による情報漏洩を確実に防止することができる。
【００５２】
（４）上記（３）と合わせて、転送結果のレポートが送信者や管理者に通知されるため、鎮火後にデータの在処を確実にトレースすることができる（トレーサビリティの確保）。これにより、ＭＦＰ１へのデータの復旧作業をより迅速かつ確実に行うことができる。
【００５３】
（５）また、ＭＦＰ１を操作しようとしていたユーザに対して、操作パネル２０を通じて火災警報を周知させることができるため、その後のユーザの対処行動に寄与することができる。また、ユーザが原稿台や原稿送り装置８に原稿をセットすることを未然に思いとどまらせ、原稿を安全に持ち去る行動を促すことができる。合わせて操作パネル２０による操作の受け付けを無効化することで、原稿の読み取り等を未然に止めさせることができる。
【００５４】
なお、ここまでは主に火災警報を想定していたが、本実施形態の手法は防犯警報の発生時にも適用できる。例えば、防犯警報のサイレンやブザーを音センサ２３によって検知したり、警報信号をネットワーク通信部３０を通じて検知（受信）したりした場合、これを受けて異常時判断処理部３４が上記のセキュリティ対策を実行することで侵入者に情報を持ち出されるのを確実に防止することができる。
【００５５】
本発明は上述した実施形態に制約されることなく、種々に変形して実施可能である。例えば、データ転送処理（図５中のステップＳ２０６）では画像データやファックスによる受信データ、アドレス帳のデータだけでなく、ＭＦＰ１の保守管理情報（印刷枚数のカウンタ情報、トナー残量情報等）を合わせて転送してもよい。これにより、さらなる情報漏洩の防止が可能である。
【００５６】
図３に示される構成は、上記のように既存のハードウェアリソースを用いて実現してもよいし、別途専用のモジュールとしてＭＦＰ１に組み込んでもよい。ただし、本実施形態のように既存のリソースを活用する場合はソフトウェア上の書き換えだけで対応できるため、ハード的な改造が不要であるという利点（コスト低減効果）がある。
【００５７】
一実施形態では、情報検知処理において操作パネル２０に情報表示依頼を発行しているが、これを異常時対策処理の中で行ってもよい。
【００５８】
その他、一実施形態では画像形成装置の例としてＭＦＰを挙げているが、画像形成装置は複写機やプリンタ、スキャナ等であってもよい。
【図面の簡単な説明】
【００５９】
【図１】ＭＦＰを左前上方から示す斜視図である。
【図２】ＭＦＰの内部構造を概略的に示す図である。
【図３】ＭＦＰの制御上の構成に関するブロック図である。
【図４】情報検知処理の手順例を示すフローチャートである。
【図５】異常時対策処理の手順例を示すフローチャートである。
【符号の説明】
【００６０】
１    ＭＦＰ
３    用紙供給装置
４    給紙カセット
１０    画像形成部
１１    転写部
２０    操作パネル
２２    印刷処理部
２３    音センサ
２４    保存部
２６    不揮発メモリ
２８    ファックス通信部
３０    ネットワーク通信部
３２    火災発生情報検知部
３４    異常時判断処理部
【図１】
2009171200.tif 000003
【図２】
2009171200.tif 000004
【図３】
2009171200.tif 000005
【図４】
2009171200.tif 000006
【図５】
2009171200.tif 000007